(57)【要約】【課題】浴槽下での施工や、点検あるいは内部配管の接続工事の容易な浴槽エプロンの提供。【解決手段】カウンタ側エプロン２と、そのカウンタ側エプロン２に隣接する隣接エプロン（３，４）とに、縦方向に分割した浴槽エプロン１において、前記カウンター側エプロン２の本体側の下部に大きな（フレーム枠は残した）開口部を設け、その開口部には、着脱可能で、表面側で隣接エプロン（３，４）に意匠的に連続する蓋体５を取り付けている。【選択図】図１
2004147774.tif 000002
【特許請求の範囲】
【請求項１】
カウンタ側エプロンと、そのカウンタ側エプロンに隣接する隣接エプロンとに、縦方向に分割した浴槽エプロンであって、
前記カウンター側エプロンの本体側の下部に大きな開口部を設け、
前記開口部には、着脱可能で、表面側で隣接エプロンに意匠的に連続する蓋体を取り付けている浴槽エプロン。
【請求項２】
隣接エプロンは、更に縦方向に、センターエプロンとドア側サイドエプロンとに分割されてなる、請求項１の浴槽エプロン。
【発明の詳細な説明】
【０００１】
【発明の属する技術分野】
本発明は、浴室ユニットにおける浴槽の洗場側に取り付ける浴槽エプロンに関するものである。
【０００２】
【従来の技術】
浴室ユニットの浴槽の洗場側に取り付ける浴槽エプロンとしては、従来から種々のものが知られている。例えば、図３に示すような、洗場カウンタ側のカウンタ側エプロンとそのカウンタ側エプロンに隣接する隣接エプロンとに、縦方向に分割された浴槽エプロンである（特許文献１、特許文献２参照）。
【０００３】
【特許文献１】
特開２００２−８５２７７号公報
【特許文献２】
特開２００２−１２５８７３号公報
【０００４】
【発明が解決しようとする課題】
このような構造の浴槽エプロンを用いた場合、組立業者が浴室ユニットを組み立てた後に、設備屋が追炊き金具等を取り付けるときや、修理屋がトラブル発生時等に浴槽下を点検したり、内部配管を接続するときに、隣接エプロンは（そのまま容易に）外すことはできるものの、カウンタ側エプロンは洗場カウンタが邪魔になって外せない。このカウンタ側エプロンも外そうとすると、一旦洗場カウンタを外したのち、カウンタ側エプロンを外さなければならず、面倒である。
【０００５】
本発明は、洗場カウンタを外す面倒がなく、カウンタ側エプロンの下部を開放でき、したがって、浴槽下での施工や、点検あるいは内部配管の接続工事が容易な浴槽エプロンを提供するものである。
【０００６】
【課題を解決するための手段】
上記目的を達成するため、本発明では次の構成をとった。すなわち、
本発明の浴槽エプロン１は、カウンタ側エプロン２と、そのカウンタ側エプロン２に隣接する隣接エプロンとに、縦方向に分割した浴槽エプロンであって、前記カウンター側エプロン２の本体側２ａの下部に大きな（フレーム枠は残した）開口部６を設け、その開口部６には、着脱可能で、表面側で隣接エプロンに意匠的に連続する蓋体５を取り付けている浴槽エプロン１である。
【０００７】
ここで、「意匠的に連続する蓋体」とは、典型的には隣接エプロンに面一で段差なく形成される蓋体であるが、これに限らず、美感を催す（あるいは、見苦しくない）ように繋がる蓋体でもよい。また、開口部６のあるカウンター側エプロン（本体側）２ａと蓋体５との脱着構造は、蓋体裏側に設けたツメ状突起物と、カウンター側エプロン（本体側）に設けた前記ツメ状物に噛み合う凹部との嵌合構造が好ましい。容易にワンタッチで脱着できるからである。
【０００８】
また、カウンター側エプロン（本体側）２ａに設ける開口部６は、開口部周囲に枠を残した構造が好ましい。カウンター側エプロン（本体側）２ａの強度を保つためであり、そうすれば、洗場カウンタの一端を支えることもできる。
【０００９】
なお、隣接エプロンは、更に縦方向に、センターエプロン３とドア側サイドエプロン４とに分割する構造であってもよい。
【００１０】
【作用】
カウンター側エプロン（本体側）２ａの下部には、洗場カウンタの奥行きと概ね同じ寸法（横幅）程度の大きな開口部６を設けているので、（洗場カウンタを外すことなく）蓋体５を外すだけで、カウンター側エプロン２の下部に比較的大きな開口を形成できる。そのため、（洗場カウンタを外すことなく外せる）隣接エプロンを外したときの開口と合わせて、浴槽下をよく観察できるとともに、その開口／開口部から両手を入れて作業できるので、浴槽下の点検あるいは浴槽下における内部配管の接続等の施工も可能となる。
【００１１】
【発明の実施の形態】
以下、図面を参照して、本発明を具体的に説明する。
図１は、本発明の分割型浴槽エプロンの斜視図である。図示するように、本発明の浴槽エプロン１は、浴槽７を正面に見て右側、すなわち、（洗場カウンタ側の）カウンタ側エプロン２と、そのカウンタ側エプロン２に隣接するセンターエプロン３と、浴槽７を正面に見て左側、すなわち、ドア側サイドエプロン４とに三分割された浴槽エプロンである。そして、カウンター側エプロン（本体側）２ａの下部には、大きく略長方形の開口部６が設けられていて、その開口部６には、着脱可能で、表面側で隣接エプロンに意匠的に連続する蓋体５を取り付けている。なお、カウンタ側エプロン２の幅は、洗場カウンタの奥行きと略同じ寸法にすることが好ましい。センターエプロン３を外したときに、できるだけ広い開口を確保するためである。
【００１２】
図２は、本発明における分割型浴槽エプロンの取付手順の説明図である。順に説明する。
（１）先ず、洗場カウンター側に、下部に大きな開口部を有するカウンタ側エプロン（本体側）２ａを取り付ける。カウンタ側エプロン（本体側）２ａの上端を浴槽に差し込み（Ａ）、次いで、下部を浴槽パンの土手部に嵌め込む（Ｂ）。
（２）次に、ドア側サイドエプロン４を取り付ける。サイドエプロン４の上端を浴槽に差し込み（Ａ）、下部を浴槽パンの土手部に嵌め込む（Ｂ）。
（３）センターエプロン３を取り付ける。センターエプロン３の下部を洗場パン溝部に落とし込み（Ａ）、エプロン上端を浴槽側に倒す（Ｂ）。
（４）センターエプロン３を持ち上げ、センターエプロン３の上端を浴槽に差し込み（Ａ）、下部を浴槽パンの土手部に嵌め込む（Ｂ）。
（５）カウンタ側エプロン（本体側）２ａの開口部６に蓋体５を取り付ける。カウンタ側エプロン（本体側）２ａの内側壁面に設けた凹部（ツメ引っ掛け部）に、蓋体裏側に設けたツメを押し付けるようにして差し込み（Ａ）、蓋体５を嵌め込む（Ｂ）。最後に、各部がしっかりと納まっていることを確認する。
【００１３】
【発明の効果】
本発明の浴槽エプロンを用いれば、洗場カウンタを外す面倒がなく、浴槽エプロン下部を開放できる。そのため、浴槽下での施工や、トラブル発生時における浴槽下の点検又は内部配管の接続工事などが容易となる。
本発明に係るカウンター側エプロン（本体側）と蓋体との脱着構造が、蓋体裏側に設けたツメ状突起物と、カウンター側エプロン（本体側）に設けたツメ引っ掛け物（凹部）との嵌合構造であれば、ワンタッチで容易に脱着できる。
本発明に係るカウンター側エプロン（本体側）に設ける開口部が、開口部周囲に枠を残した構造とすれば、カウンター側エプロン（本体側）自身の強度が確保でき、洗場カウンタの一端を支えることもできる。
【図面の簡単な説明】
【図１】本発明の分割型浴槽エプロンの斜視図である。
【図２】本発明における分割型浴槽エプロンの取付手順の説明図である。
【図３】従来例の浴槽エプロンの斜視図を示す。
【符号の説明】
１：浴槽エプロン
２：カウンタ側エプロン    ２ａ：カウンタ側エプロン（本体側）
３：センターエプロン    ４：ドア側サイドエプロン
５：蓋体    ６：開口部
７：浴槽    ８：洗場
【図１】
2004147774.tif 000003
【図２】
2004147774.tif 000004
【図３】
2004147774.tif 000005